(57)【要約】      （修正有）【課題】コーヒー抽出液のコップ内での溜り具合を容易に目視できてコーヒーを溢れることがなく使いやすいコーヒー抽出具の提供。【解決手段】挽かれたコーヒー粉を貯えて注がれた湯でコーヒー成分を抽出して下方から注出するドリッパー２と、同ドリッパーを１４５ｍｍの高さで支持するスタンド１とからなり、同スタンドはドリッパー２を取り外し自在に支持するメッキされた鋼棒による円環状のドリッパー受部１ａと同ドリッパー受部を１４５ｍｍの高さに保持する鋼棒製の外側に湾曲した支柱部１ｂと支柱部１ｂの下端で机・テーブル上に載置するための大きな円環状の鋼棒製の接地部１ｃとなり、ドリッパー２のコーヒー注出液の注出口２ａとその下方のコップ５の開口４の間に２５ｍｍの間隔を発生させて、その間隔からコップ５のコーヒー液の溜り具合が確実に目視できるようにする。【選択図】図１
0003110120.tif 000002
【実用新案登録請求の範囲】
【請求項１】
挽かれたコーヒー粉を貯えて注がれた湯でコーヒー成分を抽出して下方から注出するドリッパーと、同ドリッパーを高い位置に取り外し自在且つドリッパーの下部が下に露出するように支持するドリッパー受部を有するスタンドとからなり、スタンドが支持したドリッパーの注出口から間隔を離した下方位置にコーヒー抽出液を受けるコップを載置でき且つその載置位置へコップを出入れできる空間を確保した、コーヒー抽出具。
【請求項２】
スタンドのドリッパー受部が円環状である、請求項１記載のコーヒー抽出具。
【請求項３】
スタンドのドリッパー受部とスタンドの接地部とを連結する支持部が外方向に湾曲した線状又は棒状体である、請求項１又は２に記載のコーヒー抽出具。
【請求項４】
スタンドの接地部が環状である、請求項１〜３何れか記載のコーヒー抽出具。
【請求項５】
スタンドが強度のある線材又は棒材でもって全て製作された、請求項１〜４何れか記載のコーヒー抽出具。
【請求項６】
スタンドの接地部が水平な台であって、コップを水平な台上に載せるようにした請求項１〜３何れか記載のコーヒー抽出具。
【考案の詳細な説明】
【技術分野】
【０００１】
本考案は、コーヒー豆を挽いてできるコーヒー粉を内側に濾過紙を配置したドリッパー内に又は濾過機能を備えたドリッパーに適量入れて、そのドリッパーを高い位置に保持し、湯を注いでコーヒー粉の抽出液を下のコップで受けられるようにする、ドリッパーとその支持スタンドからなるコーヒー抽出具に関する。
【背景技術】
【０００２】
従来、コーヒーを飲する際には、プラスチック製又は陶磁器製の下縁に巾広の円盤状鍔部を有するドリッパーをコップの開口上縁上に置き、ドリッパー内側に紙製のフィルター（濾過紙）を拡げて配置し、同フィルター内にコーヒー粉を貯え、その後、湯をドリッパー内に注いでコーヒー粉からのコーヒー成分の抽出液をドリッパーの底面に設けた抽出孔から直接コップ内に落下させるようにして、コーヒー抽出液をコップに貯えて、その後ドリッパーを除いて飲することが広くなされている。
【０００３】
しかしながら、コップに貯えられるコーヒー抽出液の量が、コップの上方開口上のドリッパーでコップ内が隠されているため目視できず、そのコーヒー抽出液の量は経験で推量していた。あるいはドリッパーを上方に持ち上げてコップ内をみて確認する方法で湯の注入具合を調整していた。調整を失敗して湯の注入量が多くなるとコップからコーヒー抽出液が溢れて床を汚すことが発生していた。
【０００４】
又、これとは別に、ドリッパー（フィルターホルダー）をフィルターホルダー支持ブラケットの上に置き、同フィルターホルダー支持ブラケットの直下にコーヒーポットを置く構造のコーヒー煮出し装置が特開平７−１９４４９１号公報に開示されている。
しかしながら、この公報の装置では、フィルターホルダー内のコーヒー粉の抽出液はその下の抽出口からコーヒーポットに落下するが、中間にフィルターホルダーを置くフィルターホルダー支持ブラケットが存在するため、コーヒーポット内をの開口からのぞき込んでコーヒー量を目視することができにくいものであった。そのため、コーヒーポット（コップ）を透明なガラス製にしてコーヒー量が確認するようにしていた。
従ってコーヒー抽出液を直接受ける容器としては、透明でない陶磁器製コップ、又は陶磁器製・金属製のコーヒーポットは使用できにくいものであった。
【特許文献１】特開平７−１９４４９１号公報
【考案の開示】
【考案が解決しようとする課題】
【０００５】
本考案は、従来のかかる問題点を解消し、コーヒー抽出液のコップ内での溜り具合が目視できて、溢れることがなく使い易いコーヒー抽出具を提供するものである。
【課題を解決するための手段】
【０００６】
かかる課題を解決した本考案の構成は、
１）  挽かれたコーヒー粉を貯えて注がれた湯でコーヒー成分を抽出して下方から注出するドリッパーと、同ドリッパーを高い位置に取り外し自在且つドリッパーの下部が下に露出するように支持するドリッパー受部を有するスタンドとからなり、スタンドが支持したドリッパーの注出口から間隔を離した下方位置にコーヒー抽出液を受けるコップを載置でき且つその載置位置へコップを出入れできる空間を確保した、コーヒー抽出具
２）  スタンドのドリッパー受部が円環状である、前記１）記載のコーヒー抽出具
３）  スタンドのドリッパー受部とスタンドの接地部とを連結する支持部が外方向に湾曲した線状又は棒状体である、前記１）又は２）に記載のコーヒー抽出具
４）  スタンドの接地部が環状である、前記１）〜３）何れか記載のコーヒー抽出具
５）  スタンドが強度のある線材又は棒材でもって全て製作された、前記１）〜４）何れか記載のコーヒー抽出具
６）  スタンドの接地部が水平な台であって、コップを水平な台上に載せるようにした前記１）〜３）何れか記載のコーヒー抽出具
にある。
【考案の効果】
【０００７】
本考案によれば、スタンドのドリッパー受部でドリッパーを高い位置で且つドリッパーの下部が下に露出するように支持し、しかもそのドリッパーの注出口から間隔を離してコップを載置できるので、ドリッパーの注出口から落下するコーヒー抽出液の落下の状態と、その下方のコップ内でのコーヒー抽出液の溜り具合が目視でき、コーヒー抽出液をコップから溢れさせて床・テーブルを汚すことがなく使い易いものにできる。又コップは透明でない陶磁器製・金属製のものでも溢れさせることなく使えるものとした。
【考案を実施するための最良の形態】
【０００８】
本考案において、スタンドを３〜７ｍｍ直径程のステンレス・アルミ材等の強度ある金属線材・棒材を用いて、ドリッパー受部、接地部及びその両者を連結する支柱部を形成するのが、軽量で且つドリッパー，コップをよく見えるようにできるので好ましい。特に、ドリッパー受部及び接地部は円環状にし、支柱部は外側に湾曲させた形状が最もシンプルでデザイン上も好ましい。
【実施例】
【０００９】
以下、本考案の実施例を図面に基づいて説明する。実施例のスタンドは、５ｍｍ直径のアルミ線を用い、ドリッパー受部・接地部を円環状にし、又支持部を外側に大きく湾曲させた例である。
図１は、本実施例の斜視図である。
図２は、実施例の使用状態の正面図である。
図３は、実施例の平面図である。
図４は、実施例のスタンドのドリッパー受部の他の平面形状例を示す説明図である。
図５は、実施例のスタンドの接地部の他の平面形状例を示す説明図である。
図６は、実施例のスタンドの支柱部の他の形状例を示す説明図である。
図７は、実施例のドリッパーの他の形状例を示す説明図である。
【００１０】
図中、Ａは本実施例のコーヒー抽出具、１は同実施例の５ｍｍ直径のアルミ線材を用いたスタンド、１ａは同スタンドのドリッパー受部、１ｂは同スタンドの１４５ｍｍ高さで中間部分が外方に湾曲した支柱部、１ｃは同スタンドの接地部である。２は上部が円筒状で下部が少し下方に縮径して対向側面が大きく凹まされて、下部断面が三角形状をした陶磁器製ドリッパー、２ａは同ドリッパーの下部底面に設けた注出口、３はドリッパーの内側に拡げて置く紙フィルター、４はコーヒー粉、５は陶磁器製コップである。
【００１１】
この実施例でのスタンド１は、テーブルの上に置かれて使用される。スタンド１のドリッパー受部１ａは９２ｍｍ直径程の円環状でテーブルから１４５ｍｍの高さにあり、これにドリッパー２の下部が挿入されてドリッパー２のその中間で保持する。ドリッパー２の大略半分がドリッパー受部１ａから下方に露出している。スタンド１の接地部１ｃは１０５ｍｍ直径程の円環状であり、又接地部１ｃの上縁とドリッパー２の間には１０５ｍｍ程の距離がある。ドリッパー受部１ａと支持部１ｂと接地部１ｃとは熔着で連結されている。
【００１２】
この実施例のコーヒー抽出具Ａの円環状の接地部１ｃの内側に高さ８０ｍｍ、口径７５ｍｍの陶磁器製のコップ５を置くと、ドリッパー２の注出口２ａとコップ５の口縁との間に２５ｍｍ程の間隔が発生する。従って、ドリッパー２の内側に紙フィルター３を置き、これにコーヒー粉４を適量入れて、湯をドリッパー２に注ぎ入れると、湯はドリッパー２内のコーヒー粉と接触して、コーヒー成分の抽出液となってドリッパー２の注出口２ａから落下し、下方のコップ５で収容される。その落下の２５ｍｍを斜め上方から見ることで、コップ５内のコーヒー抽出液の入り具合（溜り具合）が一目で明確に分かる。
よって、本実施例では、コーヒー抽出液のコップの溜り具合が一目で分かるので溢れさせることがない。
【００１３】
本実施例のドリッパー受部１ａの他の形状例を図４に示す。ドリッパー受部１ａは線・棒材が好ましいが、その形状は円環状でなくてもよく、図４（ａ）の三角形状、図４（ｂ）の六角形状、図４（ｃ）の長円形状、図４（ｄ）のＵ字状等にすることができる。又、線・棒状でなく、細巾の板材で形成してもよい。
【００１４】
又、本実施例の接地部１ｃの他の形状例を図５に示す。図５に示すように接地部１ｃは線・棒材を用いて円環状の他、三角形状（図５（ａ））、六角形状（図５（ｂ））、Ｕ字状（図５（ｃ））等とすることができる。又これら線・棒材の上に水平な台板７を取付けることができる（図５（ｄ））。更に、接地部１ｃは、線・棒材を用いずに、金属・プラスチック・陶磁器・ゴム等の素材を用いて平板状の台８にすることもできる（図５（ｅ））。台８の形状も種々の平面形状にすることができる。
【００１５】
本考案のスタンドの支柱部１ｂも線材・鋼材を用いてもよいし、板状にすることもできる。線材・鋼材で外側に湾曲させれば美観上優れていて、空間・間隔が大きいものにすることができる。この支柱部１ｂの他の例を図６に示す。図６（ａ）は２本の線材で形成し、（ｂ）は板状な支持部、（ｃ）は垂直の直線的支持部、（ｄ）は２つの湾曲した線状の支持部の例である。
【００１６】
本考案のドリッパーの他の断面形状例を図７（ａ）、（ｂ）、（ｃ）に示す。コーヒー抽出液の落下が見え易いように人が見る側のドリッパー側面を陥凹させるのがコップ内を見易くする。
【産業上の利用可能性】
【００１７】
本考案はコーヒー抽出具としたが、お茶の抽出具又は単なる飲料水・液状食物の濾過器としても使用できる。
【図面の簡単な説明】
【００１８】
【図１】実施例の斜視図である。
【図２】実施例の使用状態の正面図である。
【図３】実施例の平面図である。
【図４】実施例のスタンドのドリッパー受部の他の平面形状例を示す説明図である。
【図５】実施例のスタンドの接地部の他の平面形状例を示す説明図である。
【図６】実施例のスタンドの支柱部の他の形状例を示す説明図である。
【図７】実施例のドリッパーの他の形状例を示す説明図である。
【符号の説明】
【００１９】
Ａ  コーヒー抽出具
１  スタンド
１ａ  ドリッパー受部
１ｂ  支柱部
１ｃ  接地部
２  ドリッパー
２ａ注出口
３  紙フィルター
４  コーヒー粉
５  コップ
７  台板
８  台
【図１】
0003110120.tif 000003
【図２】
0003110120.tif 000004
【図３】
0003110120.tif 000005
【図４】
0003110120.tif 000006
【図５】
0003110120.tif 000007
【図６】
0003110120.tif 000008
【図７】
0003110120.tif 000009